(57)【特許請求の範囲】
【請求項１】
水面を浮上する浮上体と、遊技者が立った姿勢で前後に操作される操作棒と、前記浮上体の後ろ側に揺動自在に取り付けられた推進板と、前記操作棒の前後の動きを前記推進版の上下の揺動の動きとして伝える伝達機構とを備え、前記伝達機構は、前記操作棒の前後方向の回動によりリンク棒を前後方向に移動させて前記操作棒の操作を前記浮上体の後ろ側に伝達し、前記リンク棒の前後の移動により前記推進板を回動させることにより、前記操作棒を前側に倒すと前記推進版を上側に回動させ、前記操作棒を後ろ側に倒すと前記操作棒を下側に回動させる。さらに本体くり抜き部に配置された伝達機構の基台部にリンク支持部が稙率されていて連結ピンを回動軸としてリンク棒が枢支され、そのリンク棒の回動軸を挟んだ一端に操作棒が固定され、その回動軸と相対向して、足置き台を取り付け、それに載ることによりリンク棒の回動する方向へ遊技者の全体重を掛ける事が出来るようにしたことを特徴とした水上遊戯具。
【発明の詳細な説明】
【技術分野】
【０００１】
本発明は、マリンスポーツとしての魅力が高く、然も、初心者でも扱いが容易な水上遊戯具に関する。
【背景技術】
【０００２】
レジャー用として使用されている水上遊戯具としては、手漕ぎボート、足漕ぎボート、ウィンドウサーフィン、ヨット等が知られている。
【０００３】
手漕ぎボートは、舷側のオールを手で漕いで、ボートを進めていくものである（例えば特許文献１）。足漕ぎボートは、ペダルを漕ぐことにより、側面ないし後方に取り付けられた円筒状の推進器が回転し、これによって前進させるものである。
【０００４】
手漕ぎボートや足漕ぎボートは、ボートに座って操作するものであるため、重心が安定し、誰にでも簡単に扱える。しかしながら、手漕ぎボートや足漕式のボートは、手足の屈伸運動を繰り返してボートを前進させるものであるため、運動が単純で、マリンスポーツとしての魅力に欠ける。
【０００５】
これに対して、ヨットやウィンドウサーフィンは、体全体を使って帆に風を受け、水面を進むため、積極的にアクションを起こして操作することができ、マリンスポーツとしての魅力が高い。しかしながら、ヨットやウィンドウサーフィンは、初心者には操作が難しく、誰もが手軽に楽しめるものではない。
【特許文献１】実開平６−７４６００号公報
【発明の開示】
【発明が解決しようとする課題】
【０００６】
上述のように、従来より、手漕ぎボート、足漕ぎボート、ウィンドウサーフィン、ヨット等、レジャー用の水上遊戯具としては、種々のものが提案されてきている。しかしながら、手漕ぎボートや足漕式のボートはマリンスポーツとしての魅力が欠け、また、ウィンドウサーフィン、ヨットは、マリンスポーツとしての魅力が高いが、誰もが手軽に楽しめるものではない。
【０００７】
上述の課題を鑑み、本発明は、マリンスポーツとしての魅力が高く、然も、初心者でも扱いが容易な水上遊戯具を提供することを目的とする。
【課題を解決するための手段】
【０００８】
上述の課題を解決するために、請求項１の発明の水上遊戯具は、水面を浮上する浮上体と、遊技者が立った姿勢で前後に操作される操作棒と、浮上体の後側に揺動自在に取り付けられた推進板と、操作棒の前後の動きを推進板の上下の揺動の動きとして伝える伝達機構とを備え、前記伝達機構は、前記操作棒の前後方向の回動によりリンク棒を前後方向に移動させて前記操作棒の操作を前記浮上体の後側に伝達し、前記リンク棒の前後の移動により前記推進板を回動させることにより、前記操作棒を前側に倒すと前記推進板を上側に回動させ、前記操作棒を後側に倒すと前記推進板を下側に回動させることを特徴とする。
【００１０】
請求項２の発明の水上遊戯具では、推進板及び操作棒はそれぞれ左右に設けられており、左右の推進板は、左右の操作棒により、それぞれ独立して操作できるようにしたことを特徴とする。
【００１１】
請求項３の発明の水上遊戯具では、浮上体は、その底面が曲面になっていることを特徴とする。
【００１２】
請求項４の発明の水上遊戯具では、さらに、操作棒と回動軸を挟んで相対向して、足置台を取り付けたことを特徴とする。
【発明の効果】
【００１３】
請求項１の発明の水上遊戯具によれば、水面を浮上する浮上体と、遊技者が立った姿勢で前後に操作される操作棒と、浮上体の後側に揺動自在に取り付けられた推進板と、操作棒の前後の動きを推進板の上下の揺動の動きとして伝える伝達機構とを備えているので、初心者にも簡単に操作でき、また、全身を積極的に使って操作するため、マリンスポーツとしての魅力が高い。
【００１４】
さらに請求項１の発明の水上遊戯具によれば、伝達機構は、操作棒を前側に倒すと推進板を上側に回動させ、操作棒を後側に倒すと推進板を下側に回動させているので、推進板を揺動させたときに生じる浮上体の無駄な動きを体重移動により抑制することができる。
【００１５】
請求項２の発明の水上遊戯具によれば、推進板及び操作棒はそれぞれ左右に設けられており、左右の推進板は、左右の操作棒により、それぞれ独立して操作できるようにしているので、推進方向を変えたり、左右のバランスをとったりすることができる。
【００１６】
請求項３の発明の水上遊戯具によれば、浮上体は、その底面が曲面になっているので、体重移動により、ピッチング、ヨーイング、ローリングが簡単に行える。
【００１７】
請求項４の発明の水上遊戯具によれば、さらに、操作棒と回動軸を挟んで相対向して、足置台を取り付けているので、遊技者の全体重を載せて、効率的に推進させることができる。
【発明を実施するための最良の形態】
【００１８】
第１実施形態．
以下、本発明の実施形態について図面を参照しながら説明する。図１は、本発明の第１実施形態の水上遊戯具１００を示すものである。
【００１９】
図１において、１０１は浮上体である。浮上体１０１は、ＦＲＰ（Fiber Reinforced Plastic：繊維強化プラスチック）、発泡スチロール、木材等で形成されており、イルカを模した形状をしている。より具体的には、浮上体１０１は、流線型であり、その底面が曲面になっている。また、浮上体１０１の両側に、翼１０２ａ、１０２ｂが設けられている。また、浮上体１０１の中央部には、くり抜き部１０５が設けられる。
【００２０】
浮上体１０１の後側の左右には、推進板１１２ａ、１１２ｂが揺動自在に取り付けられる。推進板１１２ａ、１１２ｂは、操作棒１１１ａ、１１１ｂを前後に動かすことにより、水面に対して上下に揺動し、水上遊戯具１００を前進させるものである。推進板１１２ａ、１１２ｂは、足ひれの形状のように、その後ろ側の面積が大きくなっている。
【００２１】
また、浮上体１０１のくり抜き部１０５には、操作棒１１１ａ、１１１ｂのそれぞれの動きを、左右の推進板１１２ａ、１１２ｂにそれぞれ伝える伝達機構１１３が配置されている。
【００２２】
本発明の第１実施形態の水上遊戯具１００を使用する場合には、図１に示すように、遊技者１１０が浮上体１０１の上に立ち、両手で操作棒１１１ａ、１１１ｂを掴み、倒れ込むように前後に体重を移動しながら、矢印Ａ１１及びＢ１１で示すように、操作棒１１１ａ、１１１ｂを前後に倒すように動かす。
【００２３】
遊技者１１０が操作棒１１１ａ、１１１ｂを矢印Ａ１１及びＢ１１で示すように前後に倒すように動かすと、操作棒１１１ａ、１１１ｂの動きが伝達機構１１３を介して推進板１１２ａ、１１２ｂに伝えられ、矢印Ａ１２及びＢ１２で示すように、推進板１１２ａ、１１２ｂが水面に対して上下に揺動する。これにより推進力が生じ、浮上体１０１を前進させて、楽しむことができる。
【００２４】
また、本発明の第１実施形態では、浮上体１０１を前進させる際に、遊技者１１０の倒れ込みによる位置エネルギーを積極的に使うことで、強い推進力を効率的に得るようにしている。
【００２５】
また、浮上体１０１の底面が曲面になっているため、遊技者１１０は、浮上体１０１をピッチング、ヨーイング、或いはローリングさせて、楽しむことができる。このことについては、後に説明する。
【００２６】
図２及び図３は、伝達機構１１３の構成を示すものである。図２及び図３において、基台部１２０の前側には、リンク支持部１２１が植立されている。また、基台部１２０の後側には、リンク支持部１２２が植立される。
【００２７】
リンク支持部１２１には、連結ピン１４１を回動軸として、リンク棒１３１ａ、１３１ｂが回動自在に枢支される。リンク支持部１２２には、連結ピン１４４を回動軸として、リンク棒１３３ａ、１３３ｂが回動自在に枢支される。
【００２８】
リンク棒１３１ａ、１３１ｂの一端は、操作棒１１１ａ、１１１ｂの一端に固定される。リンク棒１３１ａ、１３１ｂの他端は、連結ピン１４２ａ、１４２ｂにより、リンク棒１３２ａ、１３２ｂの一端に回動自在に連結される。リンク棒１３２ａ、１３２ｂの他端は、連結ピン１４３ａ、１４３ｂにより、リンク棒１３３ａ、１３３ｂの一端に回動自在に連結される。リンク棒１３３ａ、１３３ｂには、推進板１１２ａ、１１２ｂが固定される。
【００２９】
図３に示すように、操作棒１１１ａ、１１１ｂが矢印Ａ１０１方向に動かされると、リンク棒１３１ａ、１３１ｂが連結ピン１４１を回動軸として矢印Ａ１０２方向に回動し、リンク棒１３２ａ、１３２ｂが矢印Ａ１０３方向に移動し、リンク棒１３３ａ、１３３ｂが連結ピン１４４を回動軸として矢印Ａ１０４方向に回動し、推進板１１２ａ、１１２ｂが矢印Ａ１０５方向に回動する。
【００３０】
これとは反対に、操作棒１１１ａ、１１１ｂが矢印Ｂ１０１方向に動かされると、リンク棒１３１ａ、１３１ｂが連結ピン１４１を中心として矢印Ｂ１０２方向に回動し、リンク棒１３２ａ、１３２ｂが矢印Ｂ１０３方向に移動し、リンク棒１３３ａ、１３３ｂが連結ピン１４４を回動軸として矢印Ｂ１０４方向に回動し、推進板１１２ａ、１１２ｂが矢印Ｂ１０５方向に回動する。
【００３１】
これにより、図１に示したように、遊技者１１０が操作棒１１１ａ、１１１ｂを矢印Ａ１１及びＢ１１に示すように前後に倒すように動かすと、矢印Ａ１２及びＢ１２に示すように、推進板１１２ａ、１１２ｂが水面に対して上下に揺動するようになる。
【００３２】
なお、回動の中心軸となる連結ピン１４１から操作棒１１１ａ、１１１ｂの先端までの距離は、連結ピン１４１から連結ピン１４２ａ、１４２ｂまでの距離より十分に長いため、梃子の原理が働き、操作棒１１１ａ、１１１ｂに大きな力をかけなくても、推進板１１２ａ、１１２ｂを動かすことができる。
【００３３】
次に、本発明の第１実施形態の水上遊戯具１００の遊技時の操作について説明する。
【００３４】
図１で前述したように、本発明の第１実施形態の水上遊戯具１００では、操作棒１１１ａ及び１１１ｂを矢印Ａ１１で示すように前側に倒すと、矢印Ａ１２で示すように推進板１１２ａ及び１１２ｂが上側に回動し、操作棒１１１ａ及び１１１ｂを矢印Ｂ１１で示すように後側に倒すと、矢印Ｂ１２で示すように推進板１１２ａ及び１１２ｂが下側に回動する。
【００３５】
図４（Ａ）に示すように、遊技者１１０が推進板１１２ａ及び１１２ｂを矢印Ａ１１方向に倒し、推進板１１２ａ及び１１２ｂが矢印Ａ１２方向に回動すると、水面に対して力Ｆ１１が生じ、浮上体１０１の前側が上がり、後側が下がるような力Ｐ１１が生じる。また、図４（Ｂ）に示すように、遊技者１１０が操作棒１１１ａ及び１１１ｂを矢印Ｂ１１方向に倒し、推進板１１２ａ及び１１２ｂが矢印Ｂ１２方向に回動すると、水面に対して力Ｆ２１が生じ、浮上体１０１の後側が上がり、前側が下がるような力Ｐ２１が生じる。
【００３６】
遊技者１１０は、浮上体１０１の上に立ち、両手で操作棒１１１ａ、１１１ｂを掴み、操作棒１１１ａ、１１１ｂを前後に体重を移動しながら倒すように動かし、推進板１１２ａ及び１１２ｂを上下に回動させることで、浮上体１０１を前進させたり、ピッチング、ヨーイング、或いはローリングさせたりして楽しむことができる。本発明の第１実施形態の水上遊戯具１００では、遊技者１１０が浮上体１０１上に立って操作するため、体重移動やバランスが取りやすい。
【００３７】
また、本発明の第１実施形態の水上遊戯具１００を前進させる際には、イルカが泳ぐときのように、推進板１１２ａ及び１１２ｂを上下に揺動運動させて、浮上体１０１を進めることができる。
【００３８】
つまり、本発明の第１実施形態の水上遊戯具１００をイルカが泳ぐときのように前進させる際には、図５（Ａ）に示すように、遊技者１１０が浮上体１０１の上に真っ直ぐに載って、操作棒１１１ａ及び１１１ｂを矢印Ａ１１方向に倒す。操作棒１１１ａ及び１１１ｂを矢印Ａ１１方向に倒すと、図５（Ｂ）に示すように、体重が前側にかかり、推進板１１２ａ、１１２ｂが矢印Ａ１２方向に回転する。
【００３９】
次に、図５（Ｃ）に示すように、遊技者１１０は、操作棒１１１ａ及び１１１ｂを矢印Ｂ１１方向に倒す。遊技者１１０が操作棒１１１ａ及び１１１ｂを矢印Ｂ１１方向に倒すことにより、体重が後側にかかり、推進板１１２ａ及び１１２ｂが矢印Ｂ１２方向に回動し、図５（Ｄ）に示す状態になる。
【００４０】
次に、図５（Ｅ）に示すように、遊技者１１０は、体を前に倒し、操作棒１１１ａ及び１１１ｂを矢印Ａ１１方向に倒す。操作棒１１１ａ及び１１１ｂを矢印Ａ１１方向に倒すと、体重が前側にかかり、図５（Ｆ）に示すように、推進板１１２ａ、１１２ｂが矢印Ａ１２方向に回転する。
【００４１】
以下、遊技者１１０は、操作棒１１１ａ及び１１１ｂを矢印Ａ１１方向と矢印Ｂ１１方向とに倒すと、推進板１１２ａ及び１１２ｂが矢印Ａ１２及びＢ１２で示すように上下に揺動し、その水流により、浮上体１０１が前進していく。
【００４２】
ここで、本発明の第１実施形態の水上遊戯具１００では、前述したように、遊技者１１０が操作棒１１１ａ及び１１１ｂを前側（Ａ１１方向）に倒すと推進板１１２ａ及び１１２ｂが上側（Ａ１２方向）に回動し、遊技者１１０が操作棒１１１ａ及び１１１ｂを後側（Ｂ１１方向）に倒すと、推進板１１２ａ及び１１２ｂが下側（Ｂ１２方向）に回動する。このため、推進板１１２ａ及び１１２ｂを上下に揺動させたときに、浮上体１０１の無駄な動きを抑制できる。
【００４３】
つまり、遊技者１１０が操作棒１１１ａ及び１１１ｂを矢印Ａ１１方向に倒し、推進板１１２ａ及び１１２ｂが矢印Ａ１２方向に回動させたときには、図４（Ａ）に示したように、浮上体１０１の前側を上げ、後側を下げようとする力Ｐ１１が生じる。しかしながら、本発明の第１実施形態の水上遊戯具１００では、このとき、遊技者１１０が操作棒１１１ａ及び１１１ｂを矢印Ａ１１方向に倒すために、体重が前側にかかり、浮上体１０１の前側を下げるような力Ｑ１１が生じる。この力Ｑ１１により力Ｐ１１が相殺され、浮上体１０１の前側を上げるような無駄な運動が生じることを抑制できる。
【００４４】
同様に、遊技者１１０が操作棒１１１ａ及び１１１ｂを矢印Ｂ１１方向に倒し、推進板１１２ａ及び１１２ｂが矢印Ｂ１２方向に回動させたときには、図４（Ｂ）に示したように、浮上体１０１の後側を上げ、前側を下げようとする力Ｐ２１が生じる。しかしながら、本発明の第１実施形態の水上遊戯具１００では、このとき、遊技者１１０が操作棒１１１ａ及び１１１ｂを矢印Ｂ１１方向に倒すために、体重が後側にかかり、浮上体１０１の後側を下げるような力Ｑ２１が生じる。この力Ｑ２１により力Ｐ２１が相殺され、浮上体１０１の後側を上げるような無駄な運動が生じることを抑制できる。
【００４５】
図５に示したように、本発明の第１実施形態では、イルカが泳ぐときのように、推進板１１２ａ及び１１２ｂを同時に上下に揺動運動させて、浮上体１０１を前進させることができる。このとき、本発明の第１実施形態の水上遊戯具１００では、人間工学に基づいて、強い推進力を発揮することができる。
【００４６】
つまり、遊技者１１０が操作棒１１１ａ及び１１１ｂを操作する場合、遊技者１１０が座った状態では、体重を載せることが難しいため、遊技者１１０の上腕を使った筋肉運動となる。これでは、遊技者１１０に対して大きな負担になり、また、大きな推進力を得ることは難しい。
【００４７】
これに対して、本発明の第１実施形態の水上遊戯具１００では、遊技者１１０の立った状態からの倒れ込みにより、操作棒１１１ａ及び１１１ｂを操作している。遊技者１１０が倒れ込むという動作は、遊技者１１０の体重を位置エネルギーとして利用することになるので、遊技者１１０に負担をかけずに、大きな推進力となる。
【００４８】
特に、後方への倒れ込みという動作は、綱引きの競技を行っているときのように、人間工学上、全体重を最も載せやすい動作である。
【００４９】
本発明の第１実施形態の水上遊戯具１００では、図５（Ｃ）〜図５（Ｄ）に示したように、遊技者１１０が操作棒１１１ａ及び１１１ｂを矢印Ｂ１１方向に倒し、推進板１１２ａ及び１１２ｂが矢印Ｂ１２方向に回動させるときの運動が、人間が後方に倒れ込むという運動になり、このとき、大きな推進力が得られる。
【００５０】
なお、本発明の第１実施形態の水上遊戯具１００は、上述のように、イルカの泳ぎを模擬して前進させる操作ばかりでなく、クロールのばた足のように、推進板１１２ａ及び１１２ｂを交互に前後させるように操作して、浮上体１０１を前進させることもできる。
【００５１】
さらに、遊技者１１０の体重移動と、推進板１１２ａ及び１１２ｂの動きを利用したピッチング、ヨーイング、ローリングにより、よりアクティブに、浮上体１０１を推進させることも可能である。
【００５２】
また、本発明の第１実施形態の水上遊戯具１００では、推進板１１２ａ及び１１２ｂは左右に独立して設けられており、左右の推進板１１２ａ及び１１２ｂは、左右の操作棒１１１ａ及び１１１ｂにより、独立して操作できる。このため、左右の推進板１１２ａ及び１１２ｂの独立した操作により、浮上体１０１をロールさせてその方向を変えたり、左右のバランスをとることが可能である。
【００５３】
本発明の第１実施形態の水上遊戯具１００では、上述のように、遊技者１１０の多様な操作に対応して、多様の動きが可能である。
【００５４】
以上説明したように、本発明の第１実施形態では、全身を積極的に使って操作するため、マリンスポーツとしての魅力が高く、また、初心者にも簡単に操作できる。
【００５５】
第２実施形態．
図６〜図９は、本発明の第２実施形態の水上遊戯具２００を示すものである。この第２実施形態は、前述の第１実施形態の水上遊戯具１００に対して、足置台２５０ａ、２５０ｂを設けたものである。
【００５６】
なお、本発明の第２実施形態の水上遊戯具２００における浮上体２０１、翼２０２ａ、２０２ｂ、くり抜き部２０５、操作棒２１１ａ、２１１ｂ、推進板２１２ａ、２１２ｂは、第１実施形態における浮上体１０１、翼１０２ａ、１０２ｂ、くり抜き部１０５、操作棒１１１ａ、１１１ｂ、推進板１１２ａ、１１２ｂと同様であり、その説明は省略する。
【００５７】
また、図７及び図８に示す本発明の第２実施形態の伝達機構２１３における基台部２２０、リンク支持部２２１、２２２、リンク棒２３１ａ〜２３３ａ、２３１ｂ〜２３３ｂ、連結ピン２４１、２４２ａ〜２４３ａ、２４２ｂ〜２４３ｂ、２４４は、第１実施形態の伝達機構２１３における基台部１２０、リンク支持部１２１、１２２、リンク棒１３１ａ〜１３３ａ、１３１ｂ 〜１３３ｂ、連結ピン１４１、１４２ａ〜１４３ａ、１４２ｂ〜１４３ｂ、１４４と同様であり、その説明は省略する。
【００５８】
本発明の第２実施形態においては、図７及び図８に示すように、足置台２５０ａ、２５０ｂが設けられる。この足置台２５０ａ、２５０ｂは、リンク棒２３１ａ、２３１ｂに、回動軸となる連結ピン２４１を挟んで操作棒２１１ａ、２１１ｂと相対向するように、取り付けられる。
【００５９】
図９に示すように、遊技者２１０は、この足置台２５０ａ、２５０ｂに両足を載せて立ち、操作棒２１１ａ、２１１ｂを両手で掴んで、倒れ込むように、体重を載せて、操作棒２１１ａ、２１１ｂを前後に動かす。足置台２５０ａ、２５０ｂは、リンク棒２３１ａ、２３１ｂに、回動軸となる連結ピン２４１を挟んで操作棒２１１ａ、２１１ｂと相対向するように取り付けられている。このため、遊技者２１０が足置台２５０ａ、２５０ｂに両足を載せて立ち、遊技者２１０の体を倒せば、連結ピン２４１を回動軸としてリンク棒２３１ａ、２３１ｂが回動し、遊技者２１０の全体重を載せて、操作棒２１１ａ及び２１１ｂを操作することができる。
【００６０】
本発明は、上述した実施形態に限定されるものではなく、本発明の要旨を逸脱しない範囲内で様々な変形や応用が可能である。
【００６１】
例えば、上述の実施形態では、操作棒の動きを推進板に伝えるのにリンク機構を使っているが、これに限らず、例えば、ワイヤー機構やチェーン機構、油圧機構等を使って操作棒の動きを推進板に伝えるようにしても良い。
【産業上の利用可能性】
【００６２】
本発明は、手漕ぎボートや、足漕ぎボート、ウィンドウサーフィン、ヨット等と同様に、池や湖、或いは、海辺を浮遊して遊ぶ水上遊戯具として利用できる。
【図面の簡単な説明】
【００６３】
【図１】本発明の第１実施形態の水上遊戯具の全体構成を示す斜視図である。
【図２】本発明の第１実施形態の水上遊戯具における伝達機構の構成の説明図である。
【図３】本発明の第１実施形態の水上遊戯具における伝達機構の構成の説明図である。
【図４】本発明の第１実施形態の水上遊戯具の動きの説明図である。
【図５】本発明の第１実施形態の水上遊戯具を推進させる際の説明図である。
【図６】本発明の第２実施形態の水上遊戯具の全体構成を示す斜視図である。
【図７】本発明の第２実施形態の水上遊戯具における伝達機構の構成の説明図である。
【図８】本発明の第２実施形態の水上遊戯具における伝達機構の構成の説明図である。
【図９】本発明の第２実施形態の水上遊戯具における足置台の説明図である。
【符号の説明】
【００６４】
１００，２００：水上遊戯具
１０１，２０１：浮上体
１０２ａ，１０２ｂ，２０２ａ，２０２ｂ：翼
１０５，２０５：くり抜き部
１１１ａ，１１２ｂ，２１１ａ，２１２ｂ：操作棒
１１２ａ，１１２ｂ，２１２ａ，２１２ｂ：推進板
１１３，２１３：伝達機構
１２０，２２０：基台部
１２１，２２１：リンク支持部
１３１ａ〜１３３ａ，１３１ｂ〜１３３ｂ，２３１ａ〜２３３ａ，２３１ｂ〜２３３ｂ：リンク棒
１４１、１４２ａ〜１４３ａ，１４２ｂ〜１４３ｂ，１４４，２４１，２４２〜２４３ａ，２４２ｂ〜２４３ｂ，２４４：連結ピン
２５０ａ，２５０ｂ：足置台
【図１】
0005115329.tif 000002
【図２】
0005115329.tif 000003
【図３】
0005115329.tif 000004
【図４】
0005115329.tif 000005
【図５】
0005115329.tif 000006
【図６】
0005115329.tif 000007
【図７】
0005115329.tif 000008
【図８】
0005115329.tif 000009
【図９】
0005115329.tif 000010